(57)【要約】      （修正有）【課題】比較的安値で既存の看板にも取り付け可能である不等辺チャネルフレーム枠内外を利用し、リボンテープＬＥＤ発光体の光を屈折させることにより、明るく見易くした看板照明装置を提供する。【解決手段】看板１の表面から６ｃｍから１０ｃｍ前方に離れた位置２に、アルミ又は、ステンレス製の不等辺チャンネルフレーム３により四辺周縁枠を看板枠と同一大に形成し、その四辺周縁枠を支えるのは、チャンネルフレーム及び看板に固定され前方に伸びている支柱板４から成り立つ。四辺周縁枠の上部チャンネルフレーム枠を支える支柱は看板側固定点中心に４５度まで上部に回転可能４ｂとして、これらの四辺周縁枠を形成する不等辺チャンネルフレームの凹み根底部にリボンテープＬＥＤ発光体５を粘着し、光の屈折を利用し、看板の中央部に光りを集積させ、看板表面が明るく照射できるようにして看板照明装置を構成する。【選択図】図１
0003170992.tif 000002
【実用新案登録請求の範囲】
【請求項１】
看板の大きさで距離が異なるが、看板表面から６ｃｍから１０ｃｍ離れた位置に、アルミ又は、ステンデス製の不等辺チャンネルフレーム周縁枠を使用し、アルミ又は、ステンデス板の大きさは、看板の大小で異なってくるが、通常用いるのは、底部の幅は１．２ミリから２．４ミリ位を使用し、両側の高さは２．５ミリ位を使用し、厚さについては、１ミリ単位を基準として使用し、長さは、看板の大きさに合わせ、接続したり、切断したりして周縁枠を形成させ、その凹み根底部にリボンテープＬＥＤ発光体を粘着し、不等辺チャンネルフレーム周縁枠内で、光の屈折を利用し、看板の中央部に光りを集責させて鮮度ある照射ができる仕組みを構成し、場合によっては凹み部分の掘りを深くし、屈折の度合度を計り、鮮度ある照射が出来るようにも工夫し、また、看板の大きさに従って上部チャンネルフレーム枠を４５度まで、照射の調節を計りながら上部に上げて行き看板の表面の明るさを均等化させた位置で固定することを特徴とする看板照明装置。
【請求項２】
上記ＬＥＤ発光体の使用方法は、看板の大きさによって内蔵配列に、一並列又は、二並列式を取るが、外枠配列は、不等辺チャンネル周縁フレーム枠の外枠上部に多彩発光色一並列を用いることで、遠方から見ても看板に縁取りができる形の照射となり、少ない電力で明るく見易くすることを特徴とする請求項１記載の看板照明装置。
【考案の詳細な説明】
【技術分野】
【０００１】
本考案はリボンテープＬＥＤ発光体の使用で省エネと、夜間看板の全体を見易くする看板照明装置である。
【背景技術】
【０００２】
リボンテープＬＥＤ発光体を光源とし、光を屈折利用した技術と外観発光によって、今迄夜間目立たなかった看板が本来の看板として発揮される。
【０００３】
看板の表面を明るく見易くさせるため、不等辺チャネルフレーム枠を最大限に角度調整し、フレーム枠内に内蔵されたリボンテープＬＥＤ発光体の光を看板の表面に最大限に集積させる。
【先行技術文献】
【特許文献】
【０００４】
【特許文献１】特開２００９−１６３０１６号公報
【特許文献２】実用新案登録第３０６９２６１号公報
【特許文献３】実用新案登録第３１５６２３３号公報
【考案の概要】
【考案が解決しようとする課題】
【０００５】
特許文献1の看板は表示パネルをライトアップさせることができる面状光源からなっているが、面状光源は、板状体で周縁部の一部が厚く、その厚い周縁部と対向する周縁部または厚い周縁部と対向する周縁部を結ぶ中間部が薄くなるように断面形状がテーパ状または湾曲状に形成された導光板が、表示パネルを覆うように設けられ、導光板の周縁部が厚く形成された部分の側面に、導光板内に、光を投入できるように光源が設けられている電装看板であるため、既存看板についての取り付けは容易ではない。  
【０００６】
特許文献２はＬＥＤ投射式の電気看板が記載されているが、図案を彫刻した透光プレートを、ＬＥＤランプを並べたパイプの設置プレートに固定する手段を取っていることから、図案制作に彫刻作業を必要とするため、本来の看板製作と異なる。
【０００７】
特許文献３は多目的フルカラーＬＥＤ看板である。これはＬＥＤ基板をパーテーションと一体的に構成したもので、様々な情報を動画面で放映可能に表示することができる大掛かりな看板である。
【０００８】
そこで、本考案は上記の実情に鑑み、比較的安値で既存な看板にも取り付け可能である不等辺チャネルフレーム枠内外を利用して、リボンテープＬＥＤ発光体の光を屈折利用することにより、明るく見易い看板を提供するものである。
【課題を解決するための手段】
【０００９】
上記本考案は夜などの暗い場所でも少ない電力で鮮明に表示出来ることを特徴としている。これは看板表面から６ｃｍから１０ｃｍ離した距離に不等辺チャンネルフレーム周縁枠を使用し、そのフレーム枠内外にリボンテープＬＥＤ発光体を粘着させて、看板表面に向けて照射させるのと、遠方からも鮮明に見せるためのリボンテープＬＥＤカラー発光体の二色二配列式を主に採用しているが、要望に応じて多彩色や点滅する等の仕掛けを用いる。
【００１０】
リボンテープＬＥＤ発光体は１本の長さが約３０ｃｍで、１つの発光体の大きさが５ｍｍ×５ｍｍの四角型の小さい発光体であるが、その光は強力であり、遠方からも十分見透し可能である。色はリボン１枚毎に、赤、青、白等の多彩なカラー色となっており、発光体と発光体との間隔は２ｃｍで、１２個の発光体が並列して１本となっている。
そしてリボンテープＬＥＤ発光体の裏側は既に粘着剤が施されており、テープを剥がすと直ぐに接着できる仕組みとなっている。このリボンテープＬＥＤ発光体は自由自在に接続可能で、接続部分はコーキングを施せば雨風には問題なく耐えられる。リボンテープの本数を多く使う程電力消費量は高くなるが、それに合ったアダプターを使えば何ら問題が生じないし、数年間持続的に使用可能である。
【考案の効果】
【００１１】
本考案は、看板の大きさによって、リボンテープＬＥＤカラー発光体の一並列及び二並列式を採用することにより、看板の表面が鮮明に写し出されたり、また、フレーム枠外側には一配列で多彩色を用いていることと、その多彩色の点滅をさせること等で、夜間、看板が鮮やかに表示することができる。
【図面の簡単な説明】
【００１２】
【図１】本考案の正面図
【図２】本考案の側面図
【図３】図１、図２の要部(不等辺チャネルフレーム枠)を拡大して示す断面図
【図４】図１、図２の要部(支柱板)を拡大して示す断面図
【図５】リボンテープＬＥＤ発光体図面
【図６】図１、図２の要部(不等辺チャネルフレーム枠内側に設置されたリボンテープＬＥＤ発光体の一配列及び二平列)を拡大して示す断面図
【図７】不等辺チャネルフレーム枠内の発光体の光の屈折状況を示す参考図面
【図８】図１、図２の要部(不等辺チャネルフレーム枠外側に設置されたリボンテープＬＥＤ発光体の一配列)を拡大して示す断面図
【考案を実施するための形態】
【００１３】
以下、本考案の一実施形態である看板用照明装置について図１〜図８を参照にして詳細に説明する。図１は、本考案の看板用照明装置を示す正面図である。この正面図は看板１表面から約６ｃｍから１０ｃｍ離した距離２に、看板大とほぼ同一大に不等辺チャネルフレーム３を周縁四辺枠に形成する。その四辺周縁枠の内外全般にリボンテープＬＥＤ発光体５、６が二配列されており、そのフレーム四辺周縁枠を支える支柱４等で形成された、全体図である。
【００１４】
図２は、側面図で、この側面図の上部のフレーム枠を見ると支柱によってフレーム枠が看板より高く吊り上がっているのは、大きい看板の場合に鮮度ある照射をするために看板の大きさに従って上部のチャンネルフレーム枠３bが、支柱４bによって４５度まで、照射の調節を計りながら上部に調整し、看板の表面の明るさを均等化させたときに固定する方法図である。更に看板１表面から約６ｃｍから１０ｃｍ離した距離２に、看板大とほぼ同一大に不等辺チャネルフレーム周縁枠３が形成され。その不等辺チャネルフレーム枠外側にリボンテープＬＥＤ発光体６が配列されている図である。
【００１５】
図３は、看板１表面から約６ｃｍから１０ｃｍ離した位置２に、看板大とほぼ同一大に不等辺チャネルフレーム周縁枠３が形成さる。この不等辺チャネルフレーム枠の断面図であるが、看板照明には重要なフレーム枠である。看板の大きさの大小によってまちまちであるが、通常底幅約１、５ｃｍから３ｃｍで両サイド枠の高さは２、５ｃｍ位を使用、この枠の底部にリボンテープＬＥＤ発光体が配列される。
【００１６】
図４は、チャンネルフレーム枠四辺周縁枠をすべて支える支柱である。看板の大きさで異なるが、通常は、一辺のフレーム枠に二枚位を基準として使用するので、一看板に８枚位を必要とする。
【００１７】
図５は、リボンテープＬＥＤ発光体の図面である。このリボンテープＬＥＤ発光体の１本の長さが約３０cmで、１つの発光体の大きさが５ｍｍ×５ｍｍの四角型の小さい発光体であるが、その光は強力であり、遠方からも十分見透し可能である。色はリボン１枚毎に、赤、青、白等の多彩なカラー色となっており、発光体と発光体との間隔は２ｃｍで、１２個の発光体が並列して１本となっている。
【００１８】
図６は、チャンネルフレーム枠内に、看板の大きさによって一並列式と２並列式のリボンテープＬＥＤ発光体を採用している断面図である。
【００１９】
図７は、チャンネルフレーム枠に内蔵されたリボンテープＬＥＤ発光体の光の屈折状況の図面である。
【００２０】
図８は、チャンネルフレーム枠外側に設置されたリボンテープＬＥＤ発光体の断面図である。
【００２１】
この看板照明はリボンテープＬＥＤ発光体使用のため取り付けが簡単で、主に既存看板を対象とする。更に供給電源は市販の電力を用いても良いし、太陽光蓄電気を用いても良い。
【符号の説明】
【００２２】
１   看板
２   看板と不等辺チャネルフレーム枠の距離間隔
３   外周不等辺チャネルフレーム枠
３b  不等辺チャネルフレーム枠の移動図
４   支柱板
４b  支柱板の移動図
５  外周不等辺チャネルフレーム枠に内蔵されているリボンテープＬＥＤ発光体
６  外周不等辺チャネルフレーム枠外側のリボンテープＬＥＤ発光体
【図１】
0003170992.tif 000003
【図２】
0003170992.tif 000004
【図３】
0003170992.tif 000005
【図４】
0003170992.tif 000006
【図５】
0003170992.tif 000007
【図６】
0003170992.tif 000008
【図７】
0003170992.tif 000009
【図８】
0003170992.tif 000010
【手続補正書】
【提出日】平成23年6月27日(2011.6.27)
【手続補正１】
【補正対象書類名】実用新案登録請求の範囲
【補正対象項目名】全文
【補正方法】変更
【補正の内容】
【実用新案登録請求の範囲】
【請求項１】
看板表面から６ｃｍから１０ｃｍ離れた位置に、アルミ又は、ステンレス製の不等辺チャンネルフレーム周縁枠を看板枠と同一大に形成し、その凹み根底部にリボンテープＬＥＤ発光体を粘着し、光の屈折を利用して、看板の中央部に光りを集積させ、鮮度ある照射ができる仕組みを形成し、看板表面が明るく照射でき、また、看板の大きさによって上部チャンネルフレーム枠を４５度まで、照射の調節を見極めながら上部に上げ、そして看板の表面の明るさを均等化させた位置で固定することを特徴とする看板照明装置。
【請求項２】
前記不等辺チャンネルフレーム周縁枠の外側にもリボンテープＬＥＤ発光体を粘着したことを特徴とする請求項１記載の看板照明装置。
【手続補正書】
【提出日】平成23年8月10日(2011.8.10)
【手続補正１】
【補正対象書類名】実用新案登録請求の範囲
【補正対象項目名】全文
【補正方法】変更
【補正の内容】
【実用新案登録請求の範囲】
【請求項１】
看板表面から６ｃｍから１０ｃｍ前方に離れた位置に、アルミ又は、ステンレス製の不等辺チャンネルフレームにより四辺周縁枠を看板枠と同一大に形成し、その四辺周縁枠を支えるのは、チャンネルフレーム及び看板に固定され前方に伸びている支柱から成り立ち、四辺周縁枠の上部チャンネルフレーム枠を支える支柱は看板側固定点中心に４５度まで上部に回転可能として、これらの四辺周縁枠を形成する不等辺チャンネルフレームの凹み根底部にリボンテープＬＥＤ発光体を粘着し、光の屈折を利用し、看板の中央部に光りを集積させ、看板表面が明るく照射できることを特徴とする看板照明装置。
【請求項２】
前記四辺周縁枠を形成する不等辺チャンネルフレームの外側にもリボンテープＬＥＤ発光体を粘着したことを特徴とする請求項１記載の看板照明装置。